(57)【特許請求の範囲】
【請求項１】
媒体を収容する媒体カセットと、
前記媒体に記録を行う記録手段と、
トレイベース部と、引き出し可能なトレイ引き出し部とを備え、記録の行われた前記媒体を支持する媒体トレイと、を備え、
前記媒体カセットは、前記トレイベース部と係合する第１係合部と、前記トレイ引き出し部と係合する第２係合部と、を備え、
前記第１係合部および前記第２係合部は、前記トレイ引き出し部の引き出し方向と交差する方向において異なる位置に配置され、
前記トレイ引き出し部を引き出す際、前記第１係合部と前記トレイベース部との係合が維持された状態で、前記第２係合部と前記トレイ引き出し部との係合が解除される様に構成されていることを特徴とする記録装置。
【請求項２】
請求項１に記載の記録装置において、
前記媒体カセットは、カセットベース部と、スライド可能なカセット引き出し部とを備え、
前記第１係合部および前記第２係合部は、前記カセット引き出し部に設けられていることを特徴とする記録装置。
【請求項３】
請求項２に記載の記録装置において、
前記カセット引き出し部を引き出す際、前記第２係合部と前記トレイ引き出し部との係合が維持された状態で、前記第１係合部と前記トレイベース部との係合が解除される様に構成されていることを特徴とする記録装置。
【請求項４】
請求項１ないし３のうちいずれか一項に記載の記録装置において、
前記トレイベース部は、前記第１係合部と係合する第１係合片および第２係合片を備え、
前記トレイ引き出し部は、前記第２係合部と係合する第３係合片および第４係合片を備えることを特徴とする記録装置。
【請求項５】
請求項４に記載の記録装置において、
前記トレイ引き出し部が引き出される前の状態において、前記第１係合部は前記トレイ引き出し部の引き出し方向において前記第１係合片と前記第２係合片との間に配置され、前記第２係合部は前記引き出し方向において前記第３係合片と前記第４係合片との間に配置されることを特徴とする記録装置。
【請求項６】
請求項１ないし５のうちいずれか一項に記載の記録装置において、
前記第１係合部は、
前記トレイ引き出し部の引き出し方向における一方側に配置され、前記トレイベース部と係合可能な傾斜面と、
前記引き出し方向における他方側に配置された傾斜面と、を備え、
前記第２係合部は、
前記引き出し方向における前記一方側に配置された傾斜面と、
前記引き出し方向における前記他方側に配置された傾斜面と、を備え、
前記第２係合部の前記引き出し方向における前記他方側に配置された傾斜面は、前記第１係合部の前記引き出し方向における他方側に配置された傾斜面よりも急角度で形成され、
前記トレイ引き出し部は、前記引き出し方向における前記一方側から前記他方側に引き出されることを特徴とする記録装置。
【請求項７】
（補正前請求項８）
請求項１ないし６のうちいずれか一項に記載の記録装置において、
装置本体に対して、前記媒体の記録面の情報検出または前記媒体に対して所定の処理を行うオプション装置を装着及び取り外し可能に構成され、
前記トレイベース部は、前記オプション装置が前記装置本体に対して未装着のとき、前記装置本体に形成されたトレイ係合部と係合され、前記オプション装置が前記装置本体に対して装着されたとき、前記トレイ係合部との係合が解除されることを特徴とする記録装置。
【発明の詳細な説明】
【技術分野】
【０００１】
本発明は、媒体に記録を行う記録装置に関し、特に媒体を収容する着脱可能な媒体カセットの上部に記録済みの媒体を支持する媒体トレイを着脱可能に備えた記録装置に関する。
【背景技術】
【０００２】
以下、特許文献１に記載の記録装置を例に説明する。特許文献１記載の記録装置は、給紙トレイと排紙トレイとを着脱自在に備えている。給紙トレイは、伸縮可能に構成されており、例えばＡ４サイズ用紙に代えてＡ３サイズ用紙を収納する際には、給紙トレイを伸長させる様になっている。
【０００３】
また、給紙トレイの上部に設けられる排紙トレイは、給紙トレイと同様に伸縮可能に構成されているとともに、伸長状態において先端側を構成する段が給紙トレイと係合可能に構成されている。これにより、給紙トレイを用紙サイズに合わせて伸長させると、排紙トレイも同量だけ伸長する様に構成されている。
【先行技術文献】
【特許文献】
【０００４】
【特許文献１】特開２００４−３３１２５２号公報
【発明の概要】
【発明が解決しようとする課題】
【０００５】
給紙トレイと排紙トレイとを係合させる場合、上記の様に給紙トレイの伸長に伴って排紙トレイも伸長するため、双方を各々操作させる必要がなくユーザーフレンドリーである一方で、他方では他の使用形態を望む際に逆に弊害となることがある。
【０００６】
例えば、給紙トレイを記録装置本体から取り外す場合には、給紙トレイと排紙トレイとの係合構造が逆に引っ掛かりとなって給紙トレイの取り外しが行い難い事態が生じる。また、給紙トレイを取り外した後に、再度当該給紙トレイを記録装置本体に装着する際には、上記係合構造により引っ掛かりが生じ、装着が行い難い事態が生じることになる。
【０００７】
また、場合により給紙トレイを縮小した状態で排紙トレイを伸長させて使用したい際には、上記係合構造により引っ掛かりが生じてしまい、更にその際に無理に排紙トレイを伸長させようとすると、給紙トレイが意に反して引き抜かれてしまう場合もある。
【０００８】
そこで本発明はこの様な状況に鑑み成されたものであり、その目的は、伸縮可能な給紙トレイ（以下、本明細書では「媒体カセット」と言う）と伸縮可能な排紙トレイ（以下、本明細書では「媒体トレイ」と言う）とを係合させながらも、場合によりそれぞれの伸縮操作や着脱操作を相手側から拘束されずに行うことのできる構成を提供することにある。
【課題を解決するための手段】
【０００９】
上記課題を解決するために、本発明の第１の態様は、装置本体に対して着脱可能に設けられた、媒体を収容する媒体カセットと、前記媒体カセットから送り出された媒体に記録を行う記録手段と、前記媒体カセットの上部において前記装置本体に対して前記媒体カセットの着脱方向と同一方向に着脱可能に設けられるとともに前記着脱方向に伸縮可能に構成され、記録の行われた媒体を支持する媒体トレイと、を備え、更に前記媒体トレイの上方に、媒体記録面の情報検出或いは媒体に対して所定の処理を行うオプション装置を装着及び取り外し可能に構成された記録装置であって、前記媒体カセットは、カセットベース部と、当該カセットベース部に対して前記媒体カセットの引き抜き方向である装置手前側に位置し、媒体サイズに合わせて前記着脱方向にスライド可能なカセット引き出し部とを備え、前記カセットベース部と前記カセット引き出し部とにより媒体を収容する空間が形成され、前記媒体トレイは、伸長状態において基端側を構成するトレイベース部と、縮小状態において前記トレイベース部に収容され、伸長状態において前記トレイベース部より自由端側に位置する、少なくとも１つの引き出し可能なトレイ引き出し部と、を備えて構成され、前記トレイベース部は、前記オプション装置が未装着のとき、前記装置本体に形成されたトレイ係合部と係合することで前記引き抜き方向に拘束され、前記オプション装置が装着されたとき、前記トレイベース部の前記装置本体に対する装着位置が変位して前記トレイ係合部との係合が解除されるよう構成されており、前記カセット引き出し部は、その上部に前記トレイベース部と係合する第１係合突起、および前記トレイ引き出し部と係合する第２係合突起を、前記着脱方向と交差する方向に位置をずらして備えており、前記媒体カセット及び前記媒体トレイがともに縮小状態にあり且つ前記装置本体に装着された初期装着状態において、前記第１係合突起に対し、前記媒体カセットの装着方向である装置奥側に前記トレイベース部の下部に設けられた第１係合片が位置するとともに、装置手前側に前記トレイベース部の下部に設けられた第２係合片が位置しており、前記第１係合突起における装置奥側の面の、前記着脱方向と交差する方向における形成領域に対し、前記第１係合片は、その一部領域と係合可能に形成され、前記第２係合片は、少なくとも前記第１係合片と係合する領域外と係合可能に形成され、前記初期装着状態において、前記第２係合突起に対し、装置奥側に前記トレイ引き出し部の下部に設けられた第３係合片が位置するとともに、装置手前側に前記トレイ引き出し部の下部に設けられた第４係合片が位置しており、前記第１係合突起は、装置手前側の面が突起上部に向かって装置奥側に向かう傾斜面で形成されるとともに、装置奥側の面において前記第２係合片と係合可能な領域が突起上部に向かって装置手前側に向かう傾斜面で形成されており、前記第２係合突起は、装置奥側の面が突起上部に向かって装置手前側に向かう傾斜面で形成されるとともに、装置手前側の面が突起上部に向かって装置奥側に向かう傾斜面で形成されており、前記オプション装置が装着され且つ前記媒体カセット及び前記媒体トレイが前記初期装着状態にある状態から、前記トレイ引き出し部を引き出した際、前記第１係合突起と前記第１係合片との係合状態が解除される前に、前記第２係合突起を前記第３係合片が乗り越える様に構成されている、ことを特徴とする。
【００１０】
本態様によれば、伸縮可能な媒体カセットと伸縮可能な媒体トレイとを係合させながらも、場合によりそれぞれの伸縮操作や着脱操作を相手側から拘束されずに行うことができる。具体的には以下の各使用モードを実現できる。尚、各使用モードについては後に詳しく説明する。
【００１１】
<<使用モード１>>  
「オプション装置：未装着／媒体カセット：装着且つ縮小／媒体トレイ：装着且つ縮小」の状態から、媒体カセットのカセット引き出し部を引き出すモードである。
【００１２】
<<使用モード２>>  
「オプション装置：未装着／媒体カセット：装着且つ縮小／媒体トレイ：装着且つ縮小」の状態から、媒体トレイの引き出し部を引き出すモードである。
【００１３】
<<使用モード３>>  
「オプション装置：未装着／媒体カセット：装着且つ縮小または伸展／媒体トレイ：装着且つ縮小または伸展」の状態から、媒体カセットを引き抜くモードである。
【００１４】
<<使用モード４>>  
「オプション装置：未装着／媒体カセット：未装着／媒体トレイ：装着且つ縮小」の状態から、媒体カセットを装着するモードである。
【００１５】
<<使用モード５>>  
「オプション装置：装着／媒体カセット：装着且つ伸長／媒体トレイ：装着且つ縮小」の状態から、媒体トレイのトレイ引き出し部を引き出すモードである。
【００１６】
本発明の第２の態様は、第１の態様において、前記トレイベース部は、前記オプション装置が未装着のとき、全体が前記装置本体の内側に入り込む装着状態となることで、前記着脱方向と交差する方向の位置が規制され、前記オプション装置が装着されたとき、前記トレイベース部の前記装置本体に対する装着位置が前記媒体トレイの引き抜き方向に変位して、前記トレイベース部が前記装置本体から所定量突出する構成を備え、前記トレイベース部には、前記第１係合突起に対し、前記着脱方向と交差する方向に位置する横壁部が形成されていることを特徴とする。
【００１７】
本態様によれば、上記横壁部により、上記オプション装置を装着した際に媒体トレイをがたつくことなく保持することができる。
【００１８】
本発明の第３の態様は、第１のまたは第２の態様において、前記第１係合突起、前記第１係合片、前記第２係合片、のこれらの組、および前記第２係合突起、前記第３係合片、前記第４係合片、のこれらの組を、前記着脱方向と交差する方向に複数備えていることを特徴とする。本態様によれば、上記各使用モードにおいて媒体トレイの姿勢を安定させることができる。
【００１９】
本発明の第４の態様は、装置本体に対して着脱可能に設けられた、媒体を収容する媒体カセットと、前記媒体カセットから送り出された媒体に記録を行う記録手段と、前記媒体カセットの上部において前記装置本体に対して前記媒体カセットの着脱方向と同一方向に着脱可能に設けられるとともに前記着脱方向に伸縮可能に構成され、記録の行われた媒体を支持する媒体トレイと、を備えた記録装置であって、前記媒体カセットは、カセットベース部と、当該カセットベース部に対して前記媒体カセットの引き抜き方向である装置手前側に位置し、媒体サイズに合わせて前記着脱方向にスライド可能なカセット引き出し部とを備え、前記カセットベース部と前記カセット引き出し部とにより媒体を収容する空間が形成され、前記媒体トレイは、伸長状態において基端側を構成するトレイベース部と、縮小状態において前記トレイベース部に収容され、伸長状態において前記トレイベース部より自由端側に位置する、少なくとも１つの引き出し可能なトレイ引き出し部と、を備えて構成され、前記カセット引き出し部は、その上部に前記トレイベース部と係合する第１係合突起、および前記トレイ引き出し部と係合する第２係合突起を、前記着脱方向と交差する方向に位置をずらして備えており、前記媒体カセット及び前記媒体トレイがともに縮小状態にあり且つ前記装置本体に装着された初期装着状態において、前記第１係合突起に対し、前記媒体カセットの装着方向である装置奥側に前記トレイベース部の下部に設けられた第１係合片が位置するとともに、装置手前側に前記トレイベース部の下部に設けられた第２係合片が位置しており、前記第１係合突起における装置奥側の面の、前記着脱方向と交差する方向における形成領域に対し、前記第１係合片は、その一部領域と係合可能に形成され、前記第２係合片は、少なくとも前記第１係合片と係合する領域外と係合可能に形成され、前記初期装着状態において、前記第２係合突起に対し、装置奥側に前記トレイ引き出し部の下部に設けられた第３係合片が位置するとともに、装置手前側に前記トレイ引き出し部の下部に設けられた第４係合片が位置しており、前記第１係合突起は、装置手前側の面が突起上部に向かって装置奥側に向かう傾斜面で形成されるとともに、装置奥側の面において前記第２係合片と係合可能な領域が突起上部に向かって装置手前側に向かう傾斜面で形成されており、前記第２係合突起は、装置奥側の面が突起上部に向かって装置手前側に向かう傾斜面で形成されるとともに、装置手前側の面が突起上部に向かって装置奥側に向かう傾斜面で形成されており、前記初期装着状態から前記カセット引き出し部を引き出した際、前記第２係合突起と前記第４係合片との係合状態が解除される前に、前記第１係合突起を前記第２係合片が乗り越える様に構成されており、前記初期装着状態から前記トレイ引き出し部を引き出した際、前記第１係合突起と前記第１係合片との係合状態が解除される前に、前記第２係合突起を前記第３係合片が乗り越える様に構成されている、ことを特徴とする。
【００２０】
本態様によれば、上記第１の態様と同様に、伸縮可能な媒体カセットと伸縮可能な媒体トレイとを係合させながらも、場合によりそれぞれの伸縮操作や着脱操作（上記各使用モード）を相手側から拘束されずに行うことができる。尚、その詳細については、後に説明する。
【００２１】
本発明の第５の態様は、第１から４の態様のいずれか一つにおいて、前記第１係合突起は、装置奥側の面において、前記第１係合片と係合可能な領域が、前記第２係合突起における装置奥側の傾斜面より急角度で形成されていることを特徴とする。本態様によれば、上記使用モード５をより確実に実現させることができる。尚、その詳細については、後に説明する。
【００２２】
本発明の第６の態様は、第４のまたは第５の態様において、前記第２係合突起に形成された装置手前側の傾斜面が、前記第１係合突起に形成された装置手前側の傾斜面よりも急角度に形成されていることを特徴とする。本態様によれば、上記使用モード１の成立を、より確実なものとすることができる。尚、その詳細については、後に説明する。
【００２３】
本発明の第７の態様は、装置本体に対して着脱可能に設けられた、媒体を収容する媒体カセットと、前記媒体カセットから送り出された媒体に記録を行う記録手段と、前記媒体カセットの上部において前記装置本体に対して前記媒体カセットの着脱方向と同一方向に着脱可能に設けられるとともに前記着脱方向に伸縮可能に構成され、記録の行われた媒体を支持する媒体トレイと、を備え、更に前記媒体トレイの上方に、媒体記録面の情報検出或いは媒体に対して所定の処理を行うオプション装置を装着及び取り外し可能に構成された記録装置であって、前記媒体カセットは、カセットベース部と、当該カセットベース部に対して前記媒体カセットの引き抜き方向である装置手前側に位置し、媒体サイズに合わせて前記着脱方向にスライド可能なカセット引き出し部とを備え、前記カセットベース部と前記カセット引き出し部とにより媒体を収容する空間が形成され、前記媒体トレイは、伸長状態において基端側を構成するトレイベース部と、縮小状態において前記トレイベース部に収容され、伸長状態において前記トレイベース部より自由端側に位置する、少なくとも１つの引き出し可能なトレイ引き出し部と、を備えて構成され、前記トレイベース部は、前記オプション装置が未装着のとき、前記装置本体に形成されたトレイ係合部と係合することで前記引き抜き方向に拘束され、前記オプション装置が装着されたとき、前記トレイベース部の前記装置本体に対する装着位置が変位して前記トレイ係合部との係合が解除されるよう構成されており、前記カセット引き出し部は、その上部に前記トレイベース部と係合する第１係合突起、および前記トレイ引き出し部と係合する第２係合突起を、前記着脱方向と交差する方向に位置をずらして備えており、前記媒体カセット及び前記媒体トレイがともに縮小状態にあり且つ前記装置本体に装着された初期装着状態において、前記第１係合突起に対し、前記媒体カセットの装着方向である装置奥側に前記トレイベース部の下部に設けられた第１係合片が位置するとともに、装置手前側に前記トレイベース部の下部に設けられた第２係合片が位置しており、前記初期装着状態において、前記第２係合突起に対し、装置奥側に前記トレイ引き出し部の下部に設けられた第３係合片が位置するとともに、装置手前側に前記トレイ引き出し部の下部に設けられた第４係合片が位置しており、前記第１係合突起は、装置手前側の面が突起上部に向かって装置奥側に向かう傾斜面で形成されており、前記第２係合突起は、装置奥側の面が突起上部に向かって装置手前側に向かう傾斜面で形成されるとともに、装置手前側の面が突起上部に向かって装置奥側に向かう傾斜面で形成されており、前記媒体カセットが取り外され且つ前記媒体トレイが装着された状態から、前記媒体カセットを装着する際、前記第４係合片の前記第２係合突起の乗り越え動作に伴って前記トレイ引き出し部が前記トレイベース部を押し上げて、前記第２係合片が前記第１係合突起を乗り越える様構成され、前記オプション装置が装着され且つ前記媒体カセット及び前記媒体トレイが前記初期装着状態にある状態から、前記トレイ引き出し部を引き出した際、前記第１係合突起と前記第１係合片との係合状態が解除される前に、前記第２係合突起を前記第３係合片が乗り越える様に構成されている、ことを特徴とする。
【００２４】
本態様によれば、上記第１の態様と同様に、伸縮可能な媒体カセットと伸縮可能な媒体トレイとを係合させながらも、場合によりそれぞれの伸縮操作や着脱操作（上記各使用モード）を相手側から拘束されずに行うことができる。尚、その詳細については、後に説明する。
【００２５】
本発明の第８の態様は、装置本体に対して着脱可能に設けられた、媒体を収容する媒体カセットと、前記媒体カセットから送り出された媒体に記録を行う記録手段と、前記媒体カセットの上部において前記装置本体に対して前記媒体カセットの着脱方向と同一方向に着脱可能に設けられるとともに前記着脱方向に伸縮可能に構成され、記録の行われた媒体を支持する媒体トレイと、を備え、更に前記媒体トレイの上方に、媒体記録面の情報検出或いは媒体に対して所定の処理を行うオプション装置を装着及び取り外し可能に構成された記録装置であって、前記媒体カセットは、カセットベース部と、当該カセットベース部に対して前記媒体カセットの引き抜き方向である装置手前側に位置し、媒体サイズに合わせて前記着脱方向にスライド可能なカセット引き出し部とを備え、前記カセットベース部と前記カセット引き出し部とにより媒体を収容する空間が形成され、前記媒体トレイは、伸長状態において基端側を構成するトレイベース部と、縮小状態において前記トレイベース部に収容され、伸長状態において前記トレイベース部より自由端側に位置する、少なくとも１つの引き出し可能なトレイ引き出し部と、を備えて構成され、前記トレイベース部は、前記オプション装置が未装着のとき、前記装置本体に形成されたトレイ係合部と係合することで前記引き抜き方向に拘束され、前記オプション装置が装着されたとき、前記トレイベース部の前記装置本体に対する装着位置が変位して前記トレイ係合部との係合が解除されるよう構成されており、前記トレイベース部は、その下部に前記カセット引き出し部と係合する第１係合突起を備え、前記トレイ引き出し部は、その下部に前記カセット引き出し部と係合する第２係合突起を、前記第１係合突起に対し前記着脱方向と交差する方向に位置をずらして備えており、前記媒体カセット及び前記媒体トレイがともに縮小状態にあり且つ前記装置本体に装着された初期装着状態において、前記第１係合突起に対し、前記媒体カセットの装着方向である装置奥側に前記カセット引き出し部の上部に設けられた第１係合片が位置するとともに、装置手前側に前記カセット引き出し部の上部に設けられた第２係合片が位置しており、前記第１係合突起における装置手前側の面の、前記着脱方向と交差する方向における形成領域に対し、前記第２係合片は、その一部領域と係合可能に形成され、前記第１係合片は、少なくとも前記第２係合片と係合する領域外と係合可能に形成され、前記初期装着状態において、前記第２係合突起に対し、装置奥側に前記カセット引き出し部の上部に設けられた第３係合片が位置するとともに、装置手前側に前記カセット引き出し部の上部に設けられた第４係合片が位置しており、前記第１係合突起は、装置手前側の面において前記第１係合片と係合可能な領域が突起上部に向かって装置奥側に向かう傾斜面で形成されるとともに、装置奥側の面が突起上部に向かって装置手前側に向かう傾斜面で形成されており、前記第２係合突起は、装置奥側の面が突起上部に向かって装置手前側に向かう傾斜面で形成されるとともに、装置手前側の面が突起上部に向かって装置奥側に向かう傾斜面で形成されており、前記オプション装置が装着され且つ前記媒体カセット及び前記媒体トレイが前記初期装着状態にある状態から、前記トレイ引き出し部を引き出した際、前記第１係合突起と前記第２係合片との係合状態が解除される前に、前記第４係合片を前記第２係合突起が乗り越える様に構成されている、ことを特徴とする。
【００２６】
本態様によれば、上記第１の態様と同様に、伸縮可能な媒体カセットと伸縮可能な媒体トレイとを係合させながらも、場合によりそれぞれの伸縮操作や着脱操作（上記各使用モード）を相手側から拘束されずに行うことができる。尚、その詳細については、後に説明する。
【図面の簡単な説明】
【００２７】
【図１】本発明に係るインクジェットプリンターの側断面概略図。
【図２】本発明に係るインクジェットプリンターの外観斜視図（測色装置未装着状態）。
【図３】本発明に係るインクジェットプリンターの外観斜視図（測色装置未装着状態）。
【図４】媒体カセットの斜視図。
【図５】トレイ係合手段を装置手前側から見た斜視図。
【図６】トレイ係合手段を装置奥側から見た斜視図。
【図７】媒体トレイを下方から見た斜視図。
【図８】図７のＡ１部拡大図。
【図９】本発明に係るインクジェットプリンターの外観斜視図（測色装置装着状態）。
【図１０】（Ａ）は第１係合突起の近傍で媒体トレイ及び媒体カセットを切断した断面図、（Ｂ）は第２係合突起の近傍で媒体トレイ及び媒体カセットを切断した断面図。
【図１１】（Ａ）、（Ｂ）は使用モード１の動作状態を示す図。
【図１２】（Ａ）、（Ｂ）は使用モード１の動作状態を示す図。
【図１３】（Ａ）、（Ｂ）は使用モード２の動作状態を示す図。
【図１４】（Ａ）、（Ｂ）は使用モード２の動作状態を示す図。
【図１５】（Ｂ−１）、（Ｂ−２）は使用モード３の動作状態を示す図。
【図１６】（Ａ）、（Ｂ）は使用モード４の動作状態を示す図。
【図１７】（Ａ）、（Ｂ）は使用モード５の動作状態を示す図。
【図１８】（Ａ）、（Ｂ）は使用モード５の動作状態を示す図。
【図１９】（Ａ）、（Ｂ）は本発明の第２実施形態に係る媒体トレイおよび媒体カセットの断面図。
【図２０】（Ａ）、（Ｂ）は本発明の第２実施形態に係る媒体トレイおよび媒体カセットの断面図であり、使用モード１の動作状態を示す図。
【図２１】（Ａ）、（Ｂ）は本発明の第２実施形態に係る媒体トレイおよび媒体カセットの断面図であり、使用モード２の動作状態を示す図。
【図２２】（Ｂ−１）、（Ｂ−２）は本発明の第２実施形態に係る媒体トレイおよび媒体カセットの断面図であり、使用モード３の動作状態を示す図。
【図２３】（Ａ）、（Ｂ）は本発明の第２実施形態に係る媒体トレイおよび媒体カセットの断面図であり、使用モード４の動作状態を示す図。
【図２４】（Ａ）、（Ｂ）は本発明の第２実施形態に係る媒体トレイおよび媒体カセットの断面図であり、使用モード５の動作状態を示す図。
【発明を実施するための形態】
【００２８】
以下、図面を参照しながら本発明の第１実施形態について説明する。  
図１は本発明に係る記録装置の一実施形態であるインクジェットプリンター１の、用紙搬送経路の側断面概略図、図２及び図３はインクジェットプリンター１の外観斜視図（測色装置未装着状態）であり、図２は媒体トレイ５および媒体カセット１０が縮小状態にあり且つインクジェットプリンター１の装着本体に装着された状態を、図３は媒体カセット１０のみが装着された状態を、それぞれ示している。
【００２９】
また、図４は媒体カセット１０の斜視図、図５はトレイ係合手段１３を装置手前側から見た斜視図、図６はトレイ係合手段１３を装置奥側から見た斜視図、図７は媒体トレイ５を下方から見た斜視図、図８は図７のＡ１部拡大図、図９はインクジェットプリンター１の外観斜視図であって測色装置４を装着した状態を示す図である。
【００３０】
更に、図１０（Ａ）は第１係合突起１５の近傍で媒体トレイ５及び媒体カセット１０を切断した断面図、（Ｂ）は第２係合突起１４の近傍で媒体トレイ５及び媒体カセット１０を切断した断面図である。
【００３１】
更に、図１１（Ａ）、（Ｂ）〜図１４（Ａ）、（Ｂ）および図１６（Ａ）、（Ｂ）〜図１９（Ａ）、（Ｂ）は図１０（Ａ）、（Ｂ）に対応する断面図であり、図１５（Ｂ−１）、（Ｂ−２）は図１０（Ｂ）に対応する断面図であって、図１１及び図１２は使用モード１の動作状態を示す図、図１３及び図１４は使用モード２の動作状態を示す図、図１５は使用モード３の動作状態を示す図、図１６は使用モード４の動作状態を示す図、図１７及び図１８は使用モード５の動作状態を示す図である。
【００３２】
尚、図１及び図１０〜図２４の左右方向（矢印Ｙａ、Ｙｂ）は媒体スタッカー５および媒体カセット１０の着脱方向であり、以下「着脱方向」を言うときはこの方向を意味するものとする。また「装置奥側」或いは媒体カセット１０或いは媒体トレイ５の「装着方向」又は「基端側」とは矢印Ｙａで示す方向を意味するものとする。また、「装置手前側」或いは媒体カセット１０或いは媒体トレイ５の「引き抜き方向」又は「取り外し方向」又は「自由端側」とは矢印Ｙｂで示す方向を意味するものとする。図１及び図１１〜図２４以外の図においても矢印Ｙａ、Ｙｂで示す方向は上記と同じである。更に、媒体カセット１０或いは媒体トレイ５の「着脱方向と交差する（直交する）方向」を言うときは、図１及び図１０〜図２４の紙面表裏方向を意味するものとする。加えて、適宜図１の左右方向を用紙搬送方向と言い、図１の紙面表裏方向を用紙幅方向と言う場合もある。
【００３３】
■■■■■■１．媒体カセット及び媒体トレイの概略■■■■■■■■■■■■■■
以下、インクジェットプリンター１の大略構成、特に媒体カセット１０および媒体トレイ５について概説する。インクジェットプリンター１は、例えば最大Ａ２サイズまでの大判用紙に記録が可能な大判プリンターである。その外部から視認可能な構成については、図２に示す様に装置本体１ａの後部にロール収容部２を備え、また装置本体１ａの前部に媒体カセット１０及び媒体トレイ５を備えている。ロール収容部２には被記録媒体としてのロール紙を収容可能であり、このロール紙が記録手段へと供給され、媒体トレイ５の支持面５ａ上に排出される様になっている。
【００３４】
また、被記録媒体として単票紙も選択可能であり、この単票紙は装置本体１ａに対して着脱可能な媒体カセット１０に収容される様になっている。媒体カセット１０から送り出された単票紙は記録手段により記録が実行され、媒体トレイ５の支持面５ａ上に排出される。
【００３５】
媒体トレイ５は媒体カセット１０と同様に装置本体１ａに対して着脱可能に構成されており、且つ伸縮可能に構成されている（図２は媒体トレイ５の縮小状態を示しており、図６は伸長状態を示している）。本実施形態では、媒体トレイ５は基端側のトレイベース部６と、このトレイベース部６に収容される「トレイ引き出し部」としての第１引き出し部７及び、更にこの第１引き出し部７に収容される第２引き出し部８を備えており、即ち３段式に構成されている。
【００３６】
図３は媒体カセット１０を装置本体１ａに装着し、且つ媒体トレイ５を装置本体１ａから取り外した状態を示しており、媒体トレイ５は装置本体１ａに装着されると図３に示すトレイ支持板１ｃに支持される。
【００３７】
また、トレイ支持板１ｃには「トレイ係合部」としての突起１ｄが形成されている。媒体トレイ５は、トレイベース部６に形成された係止片６ｃ（図７、図１０）が突起１ｄと係合することで、引き抜き方向Ｙｂに力を加えても容易に装置本体１ａから引き抜かれない様に構成されている。
【００３８】
また、突起１ｄの上方には、トレイベース部６の基端上部６ｅ（図１０）と対向する場所に規制部１ｅが設けられており、媒体トレイ５は装着状態において自由端側に下向きの力が加えられても、規制部１ｅによりトレイベース部６の基端側が浮き上がらないように規制される。但し、媒体トレイ５の自由端側に上向きの力が作用すると、トレイベース部６の基端下部６ｆ（図１０）を支点として、自由端側が若干の浮き上がりが許容される様になっている。
【００３９】
尚、媒体トレイ５の自由端側が若干浮き上がっても、図１０から明かな様に係止片６ｃと突起１ｄと係合は解除されないので、媒体トレイ５の、引き抜き方向Ｙｂに対する拘束状態は維持される。尚、媒体トレイ５は、装着状態において媒体カセット１０に形成されたトレイ係合手段１３（第１係合突起１５、第２係合突起１４）と係合するが、これについては後に詳述する。
【００４０】
ところで、インクジェットプリンター１はオプション装置としての測色装置４（図９）を媒体トレイ５の基端側上部に着脱自在に備えている。測色装置４は、記録用紙に記録された測色用パターン（例えば、カラーパッチ）に対して光を照射し、測色用パターンから反射して戻って来た光に基づいて、色情報を測定して補正値を得る為の測定機器である。
【００４１】
ここで、この測色装置４が装置本体１ａに装着されると、媒体トレイ５はやや前方の位置で装着状態となり、上述した突起１ｄと係止片６ｃとの係合は解除される様になっている。このため、この状態での媒体トレイ５の前方への引き抜き防止は、後述するトレイ係合手段１３によって行われる様になっている。尚、この状態で媒体トレイ５のトレイベース部６の基端側はトレイ支持板１ｃに支持されると同時に、測色装置４の下側に入り込んでいることで、媒体トレイ５の自由端側に下向きの力が加えられても、測色装置４によりトレイベース部６の基端側が浮き上がらないように規制される様になっている。
【００４２】
■■■■■■２．記録装置の内部構成■■■■■■■■■■■■■■■■■■■■■
続いて、インクジェットプリンター１の内部構成（用紙搬送経路上の構成）について図１を参照しつつ概説する。インクジェットプリンター１は、装置底部に媒体給送装置３を備えており、この媒体給送装置３が備える媒体カセット１０から被記録媒体の一例としての記録用紙Ｐを送り出し、中間ローラー２３にて湾曲反転させて、記録手段としてのインクジェット記録ヘッド３０の側へと給送し、記録を行う構成を備えている。
【００４３】
より詳しくは、媒体給送装置３は媒体カセット１０と、ピックアップローラー２２と、中間ローラー２３と、リタードローラー２４と、ガイドローラー２５、２６と、を備えている。
【００４４】
媒体カセット１０には、エッジガイド１８、１９が設けられており、用紙送り出し方向に対し用紙両側に配置されたエッジガイド１８（他方側のエッジガイドは図示省略）により、用紙Ｐのサイドエッジが規制される。尚、エッジガイド１９は、用紙後端エッジを規制するエッジガイドであり、用紙送り出し方向にスライド可能に設けられている。
【００４５】
媒体カセット１０に収容された用紙Ｐの先端と対向する位置には分離斜面１７ａを備えた分離部材１７が設けられており、ピックアップローラー２２により送り出される用紙Ｐの先端が分離斜面１７ａに摺接しつつ下流側へ給送されることで、給送されるべき最上位の用紙Ｐと、これに連れられて重送されようとする次位以降の用紙Ｐとの予備的な分離が行われる。
【００４６】
ピックアップローラー２２は、揺動軸２１ａを中心にして図１の時計回り方向及び反時計回り方向に揺動可能な揺動部材２１に軸支されており、且つ、図示しない駆動モーターの動力によって回転駆動されるように設けられている。ピックアップローラー２２は、用紙給送時には媒体カセット１０に収容された用紙Ｐの最上位のものに接して回転することにより、最上位の用紙Ｐを媒体カセット１０から送り出す。
【００４７】
媒体カセット１０から送り出された用紙Ｐは、湾曲反転区間に入る。この湾曲反転区間には、中間ローラー２３と、リタードローラー２４と、ガイドローラー２５、２６、のこれらローラーが設けられている。
【００４８】
中間ローラー２３は、用紙Ｐを湾曲反転させる湾曲反転経路の内側を形成する大径ローラーであり、図示を省略する駆動モーターによって回転駆動される。そして図１の反時計回り方向に回転することにより、用紙Ｐを巻回しながら下流側へと搬送する。
【００４９】
リタードローラー２４は所定の回転摩擦抵抗が付与された状態で中間ローラー２３に対して圧接及び離間可能に設けられており、中間ローラー２３との間で用紙Ｐをニップすることにより、給送されるべき最上位の用紙Ｐと、これに連れられて重送されようとする次位以降の用紙Ｐとを分離する。
【００５０】
ガイドローラー２５、２６は自由回転可能なローラーであり、そのうちガイドローラー２６は中間ローラー２３との間で用紙Ｐをニップすることにより、中間ローラー２３による用紙送りを補助する。
【００５１】
次に、中間ローラー２３の下流側には、搬送駆動ローラー２７と搬送従動ローラー２８とが設けられている。搬送駆動ローラー２７は、図示を省略する駆動モーターにより回転駆動され、搬送従動ローラー２８は、搬送駆動ローラー２７との間で用紙Ｐをニップし、用紙Ｐの搬送に伴って従動回転する。
【００５２】
搬送駆動ローラー２７の下流側には、記録手段を構成するインクジェット記録ヘッド３０が用紙搬送経路に対して対向配置されている。インクジェット記録ヘッド３０はキャリッジ２９の底部に設けられ、このキャリッジ２９は図示を省略する駆動モーターの動力を受けて用紙幅方向（図１の紙面表裏方向）に往復動するよう設けられる。
【００５３】
用紙搬送経路においてインクジェット記録ヘッド３０と対向する位置には、記録用紙Ｐを支持する第１媒体支持部材３１が設けられ、更にその下流側には第２媒体支持部材３２が設けられ、これら支持部材によって記録用紙Ｐが支持されることにより記録面とインクジェット記録ヘッド３０とのギャップが規定される。
【００５４】
第２媒体支持部材３２の下流側には、ローラー対から成る第１媒体排出手段３３及び第２媒体排出手段３４が設けられており、これら媒体排出手段により、記録の行われた記録用紙Ｐが、媒体トレイ５に向けて排出される。
【００５５】
■■■■■■３．媒体カセットおよび媒体トレイの係合構造■■■■■■■■■■■
続いて、媒体カセット１０および媒体トレイ５の、これらの係合構造について詳説する。  
媒体カセット１０は、図４に示す様にカセットベース部１１と、カセット引き出し部１２とを備えて構成されており、これらカセットベース部１１およびカセット引き出し部１２によって用紙収容空間１０ａが形成されている。
【００５６】
カセット引き出し部１２は、カセットベース部１１に対し、媒体カセット１０の着脱方向と同方向にスライド可能に設けられており、カセット引き出し部１２をスライドさせることにより、図４の仮想線及び符号１２’で示すように用紙収容空間１０ａの大きさを用紙サイズに応じて切り換えることができる様になっている。尚、図４において符号１６は、媒体カセット１０及び媒体トレイ５の取り外し状態において、カセット引き出し部１２が最大引き出し状態のとき媒体トレイ５を支持する突起である。媒体トレイ５は、媒体カセット１０の上縁１２ａと突起１６とで支持されることで、媒体カセット１０の装着時に当該媒体カセット１０に載置された状態でトレイ支持板１ｃに引っ掛かることなく同時に装着できる様になっている。
【００５７】
カセット引き出し部１２の引き出し側端部において、上部左右の角部には、上述したトレイ係合手段１３が形成されている。トレイ係合手段１３は、図５に示すようにカセット外側に位置する第１係合突起１５と、カセット内側に位置する第２係合突起１４とを備えて構成されている。第１係合突起１５および第２係合突起１４は、媒体カセット１０のベース部１２上部において、媒体トレイ５側に向かって突出するように形成されているとともに、着脱方向と交差する方向に位置をずらして設けられている。
【００５８】
尚、第１係合突起１５は媒体カセット１０の外側に形成され、また第２係合突起１４は媒体カセット１０の内側に形成されているので、以下ではこれらの区別を容易にする為に、それぞれ「第１係合突起（外側）１５」、「第２係合突起（内側）１４」と標記することとする。
【００５９】
一方、媒体トレイ５の側には、これら第１係合突起（外側）１５、第２係合突起（内側）１４、のそれぞれと係合する為の係合片が、図７に示すＡ１部とＡ２部に形成されている。具体的には、図８に示すＡ１部の拡大図に示すように、トレイベース部６下側には第１係合突起（外側）１５に対応する第１係合片６ａと第２係合片６ｂが形成されている。
【００６０】
媒体カセット１０と媒体トレイ５がともに装着状態にあり且つ縮小状態にある状態（以下「初期装着状態」と言う）において、第１係合片６ａは、第１係合突起（外側）１５に対して、装置奥側Ｙａに位置し、また第２係合片６ｂは、第１係合突起（外側）１５に対して、装置手前側Ｙｂに位置する。尚、第１係合片６ａは、他の係合片との区別を容易にするために、以下では「第１係合片（外／奥側）６ａ」と標記することとする。また同様に、第２係合片６ｂを「第２係合片（外／手前側）６ｂ」と標記することとする。
【００６１】
続いて、同様に初期装着状態において、第３係合片７ａは、第２係合突起（内側）１４に対して、装置奥側Ｙａに位置し、また第４係合片７ｂは、第２係合突起（内側）１４に対して、装置手前側Ｙｂに位置する。尚、第３係合片７ａは、他の係合片との区別を容易にするために、以下では「第３係合片（内／奥側）７ａ」と標記することとする。また同様に、第４係合片７ｂを「第４係合片（内／手前側）７ｂ」と標記することとする。
【００６２】
次に、第１係合突起（外側）１５において第１係合片（外／奥側）６ａと対向する側は、図６において符号１５ａで示す様に突起上部に向かって装置手前側Ｙｂに傾斜する傾斜面（以下、「奥側斜面１５ａ」と言う）と、符号１５ｂで示す垂直面（以下「奥側垂直面１５ｂ」と言う）とが、着脱方向と交差する方向に位置をずらして形成されている。
【００６３】
但し、第１係合片（外／奥側）６ａと係合するのは奥側垂直面１５ｂであり、奥側斜面１５ａは第２係合片（外／手前側）６ｂと係合することとなる（後に詳述）。また、第１係合突起（外側）１５において第２係合片（外／手前側）６ｂと対向する側は、図５において符号１５ｃで示す様に突起上部に向かって装置奥側Ｙａに傾斜する傾斜面（以下「手前側斜面１５ｃ」と言う）が形成されている。
【００６４】
次いで、第２係合突起（内側）１４において第３係合片（内／奥側）７ａと対向する側は、図６において符号１４ａで示す様に突起上部に向かって装置手前側Ｙｂに傾斜する傾斜面（以下、「奥側斜面１４ａ」と言う）が形成されている。また、第２係合突起（内側）１４において第４係合片（内／手前側）６ｂと対向する側は、図５において符号１４ｂで示す様に突起上部に向かって装置奥側Ｙａに傾斜する傾斜面（以下「手前側斜面１４ｂ」と言う）が形成されている。
【００６５】
尚、図５から明かなように、本実施形態では手前側斜面１５ｃの傾斜角度は、手前側斜面１４ｂの傾斜角度よりも、緩やかに設定されている。また、図６から明かなように、奥側斜面１４ａと奥側斜面１５ａの傾斜角度は、同じに設定されている。
【００６６】
図１０（Ａ）、（Ｂ）は、媒体カセット１０および媒体トレイ５がともに装置本体１ａに装着され且つ縮小した状態（初期装着状態）を示しており、図１０（Ａ）は第１係合突起（外側）１５の位置で切断した断面図、図１０（Ｂ）は第２係合突起（内側）１４の位置で切断した断面図である。図１０（Ａ）に示すように、この状態では第１係合片（外／奥側）６ａと第２係合片（外／手前側）６ｂとが、第１係合突起（外側）１５を挟んだ状態で媒体カセット１０のカセット引き出し部１２の上縁１２ａに載った状態となっている。
【００６７】
また図１０（Ｂ）に示すように、第３係合片（内／奥側）７ａと第４係合片（内／手前側）７ｂとが、第２係合突起（内側）１４を挟んだ状態で、第４係合片（内／手前側）７ｂだけが媒体カセット１０のカセット引き出し部１２の上縁１２ａに載った状態となっている。
【００６８】
この状態では、本実施形態では媒体トレイ５のトレイベース部６は上述の通り装置本体１ａに形成された突起１ｄ（図３）に係止片６ｃ（図７）が係止することで、引き抜き方向Ｙｂに引き抜かれない様拘束されている。従って、仮に第１係合突起（外側）１５と第１係合片（外／奥側）６ａとの係合が解除されても、媒体トレイ５そのものは装置本体１ａに保持されることとなる。
【００６９】
尚、この様な突起１ｄ（図３）と係止片６ｃ（図７）とによる媒体トレイ５の引き抜き方向Ｙｂに対する拘束は、上述の通り測色装置４（図９）を装着した際には解除される様になっている。このとき、即ち測色装置４（図９）を装着した際には、媒体トレイ５のトレイベース部６は、第１係合突起（外側）１５と第１係合片（外／奥側）６ａとの係合のみによって引き抜き方向Ｙｂへの規制が行われる。
【００７０】
■■■■■■４．媒体カセットおよび媒体トレイの使用モード■■■■■■■■■■
以下、媒体カセット１０および媒体トレイ５の使用モードについて説明する。ここで、「使用モード」とは媒体カセット１０および媒体トレイ５の操作形態であり、以下に示すように複数の使用モードが存在する。
【００７１】
<<使用モード１>>
「測色装置４：未装着／媒体カセット１０：装着且つ縮小／媒体トレイ５：装着且つ縮小」の状態（初期装着状態）から、媒体カセット１０のカセット引き出し部１２を引き出すモードである。  
（※その結果、媒体トレイ５は同期して伸長する。）
【００７２】
<<使用モード２>>
「測色装置４：未装着／媒体カセット１０：装着且つ縮小／媒体トレイ５：装着且つ縮小」の状態（初期装着状態）から、媒体トレイ５の第１引き出し部７を引き出すモードである。  
（※その結果、媒体カセット１０は第１引き出し部７に連れられて引き抜かれない。）
【００７３】
<<使用モード３>>
「測色装置４：未装着／媒体カセット１０：装着且つ縮小または伸展／媒体トレイ５：装着且つ縮小または伸展」の状態（例えば上記使用モード１の後）から、媒体カセット１０を引き抜くモードである。  
（※その結果、媒体カセット１０は媒体トレイ５に引っ掛からないで引き抜き可能となる。）
【００７４】
<<使用モード４>>
「測色装置４：未装着／媒体カセット１０：未装着／媒体トレイ５：装着且つ縮小」の状態（上記使用モード３の後）から、媒体カセット１０を装着するモードである。  
（※その結果、媒体カセット１０は媒体トレイ５に引っ掛からないで装着可能となる。）
【００７５】
<<使用モード５>>
「測色装置４：装着／媒体カセット１０：装着且つ伸長／媒体トレイ５：装着且つ縮小」の状態から、媒体トレイ５の第１引き出し部７を引き出すモードである。  
（※その結果、媒体トレイ５のトレイベース部６は媒体カセット１０に保持される為引き抜かれることがない。）
【００７６】
以上の通り複数の使用モードが存在するため、以下ではそれぞれの使用モードごとに説明する。尚、図１１〜図１８では、媒体トレイ５のトレイベース部６と第１引き出し部７との位置関係を明瞭に示すために、媒体トレイ５を構成する第１引き出し部７にハッチング（ドット）を付して示している。また、第１係合突起（外側）１５に形成された奥側斜面１５ａは、図面の煩雑化を避ける為、図示の必要が無い場合には適宜破線で示して符号の表示は省略している。更に、図１１〜図１８において、符号Ｔｓ（黒塗り三角形）で示す位置は、インクジェットプリンター１の装置前面１ｂ（図２、図３、図９）の位置を示している。
【００７７】
<<使用モード１>>
このモードは、「測色装置４：未装着／媒体カセット１０：装着且つ縮小／媒体トレイ５：装着且つ縮小」の状態（初期装着状態：図１０（Ａ）、（Ｂ））から、媒体カセット１０のカセット引き出し部１２を引き出すモードである。
【００７８】
図１０（Ａ）、（Ｂ）に示す状態から媒体カセット１０のカセット引き出し部１２を引き出すと（図１０（Ａ）、（Ｂ）の実線矢印）、第１係合突起（外側）１５に対して第２係合片（外／手前側）６ｂが存在し、また第２係合突起（内側）１４に対して第４係合片（内／手前側）７ｂが存在するため、媒体トレイ５はトレイベース部６および第１引き出し部７の双方が、引き抜き方向Ｙｂに移動しようとする。
【００７９】
しかし、この状態では上述の通り媒体トレイ５のトレイベース部６は装置本体１ａに形成された突起１ｄ（図３）に係止片６ｃ（図７）が係止することで、引き抜き方向Ｙｂに引き抜かれない様拘束されており、しかも本実施形態ではこの拘束は媒体トレイ５の自由端側が多少浮き上がっても解除されないように構成されている。
【００８０】
このため、図１１（Ａ）、（Ｂ）から図１２（Ａ）、（Ｂ）への変化に示すように、第２係合片（外／手前側）６ｂが第１係合突起（外側）１５の手前側斜面１５ｃを乗り上げることで、第２係合片（外／手前側）６ｂと第１係合突起（外側）１５との係合状態のみが解除されて、第２係合突起（内側）１４と第４係合片（内／手前側）７ｂとの係合状態が維持される。
【００８１】
その結果、第１引き出し部７のみが媒体カセット１０のカセット引き出し部１２に同期して移動し（破線矢印）、即ち媒体トレイ５が媒体カセット１０に収容された記録用紙Ｐのサイズに応じた適切な長さに伸長することとなる。また、媒体トレイ５が伸長すると、片持ち梁構造となって排出された記録用紙Ｐを支持した際に自由端側が極端に下方に撓んでしまうが、媒体トレイ５の第１引き出し部７が媒体カセット１０により下から支持されることとなるので、媒体トレイ５の上記撓みを抑制することができる。
【００８２】
尚、上記実施形態では媒体トレイ５のトレイベース部６が、装置本体１ａに形成された突起１ｄ（図３）に係止片６ｃ（図７）が係止することで引き抜き方向Ｙｂへの移動が拘束されている。しかし、第２係合突起（内側）１４と第４係合片（内／手前側）７ｂとの係合が解除される前に、第１係合突起（外側）１５と第４係合片（内／手前側）７ｂとの係合が解除される様に、各係合突起と係合片との関係（高さ関係）が調整されていれば、装置本体１ａに形成された突起１ｄ（図３）に係止片６ｃ（図７）が係止することによるトレイベース部６の拘束は無くても構わない。
【００８３】
この場合、本実施形態の様に第２係合突起（内側）１４の手前側斜面１４ｂの傾斜角が、第１係合突起（外側）１５の手前側斜面１５ｃの傾斜角度より急に設定されていれば、より確実に、第２係合突起（内側）１４と第４係合片（内／手前側）７ｂとの係合が解除される前に、第１係合突起（外側）１５と第４係合片（内／手前側）７ｂとの係合を解除させることができる。
【００８４】
<<使用モード２>>
このモードは、「測色装置４：未装着／媒体カセット１０：装着且つ縮小／媒体トレイ５：装着且つ縮小」の状態（初期装着状態：図１０（Ａ）、（Ｂ））から、媒体トレイ５の第１引き出し部７を引き出すモードである。
【００８５】
本実施形態に係るインクジェットプリンター１では、媒体トレイ５を伸長させたい場合には、上記<<使用モード１>>で説明したように基本的には媒体カセット１０のカセット引き出し部１２を引き引き抜き方向Ｙｂに引き出し、これと同期して伸長させる。しかしながらユーザー側には、場合により媒体カセット１０の伸長を伴わないで、媒体トレイ５のみを伸長させたいといった要請が生じることもある。
【００８６】
本使用モードはその様なモードであり、媒体トレイ５のみを伸長させるべく第１引き出し部７に手を掛けて引き出すと（図１３（Ａ）、（Ｂ）の実線矢印）、第２係合突起（内側）１４に対して第３係合片（内／奥側）７ａが存在するため、媒体カセット１０のカセット引き出し部１２も連れられて引き抜き方向Ｙｂに引き抜かれようとする傾向が生じる。或いは、カセット引き出し部１２が既に引き出し限界まで引き出されていれば、媒体カセット１０全体に引き抜き方向Ｙｂの外力が加わって媒体カセット１０全体が引き抜かれようとする傾向が生じる。
【００８７】
しかしながら、第２係合突起（内側）１４と対向する第３係合片（内／奥側）７ａに対し、第２係合突起（内側）１４には奥側斜面１４ａが形成されているので、図１３から図１４への変化に示すように第３係合片（内／奥側）７ａが第２係合突起（内側）１４を乗り越えることができる。従ってこれにより媒体カセット１０の伸長を伴わないで、また媒体カセット１０の引き抜きを伴わないで、媒体トレイ５のみを伸長させることができる。
【００８８】
また、仮に装置本体１ａに形成された突起１ｄ（図３）に係止片６ｃ（図７）が係止することによるトレイベース部６の拘束が無い場合には、トレイベース部６はトレイ係合手段１３のみによって引き抜き方向Ｙｂに拘束される。この場合第１係合突起（外側）１５と第１係合片（外／奥側）６ａとの係合が解除される前に、第２係合突起（内側）１４と第３係合片（内／奥側）７ａとの係合が解除される様に構成されていれば、媒体トレイ５のトレイベース部６が第１引き出し部７の引き出しに連れられて引き抜かれることがない。
【００８９】
<<使用モード３>>
このモードは、「測色装置４：未装着／媒体カセット１０：装着且つ縮小または伸展／媒体トレイ５：装着且つ縮小または伸展」の状態（例えば上記使用モード１の後）から、媒体カセット１０を引き抜くモードである。
【００９０】
例えば、図１２（Ｂ）に示した状態から媒体カセット１０を引き抜いて用紙を補充したい場合があるが、第２係合突起（内側）１４と第４係合片（内／手前側）７ｂとの係合が維持されているので、媒体カセット１０を引き抜こうとする際に引っ掛かりにより引き抜きできない虞がある。
【００９１】
しかしながら第２係合突起（内側）１４において第４係合片（内／手前側）７ｂと対向する側には、手前側斜面１４ｂが形成されているので、媒体カセット１０を引き抜く際に（図１５（Ｂ−１）、（Ｂ−２）の実線矢印）、図１５（Ｂ−１）から図１５（Ｂ−２）への変化に示す様に第４係合片（内／手前側）７ｂが第２係合突起（内側）１４を乗り越えることができる。即ち、媒体カセット１０を引き抜こうとする際に媒体トレイ５との間の係合構造による引っ掛かりによって媒体カセット１０が引き抜きできない事態を回避できる。
【００９２】
尚、図１５（Ｂ−１）、（Ｂ−２）では媒体トレイ５が伸長した状態から媒体カセット１０を引き抜く、即ち既に第１係合突起（外側）１５を第２係合片（外／手前側）６ｂが乗り越えている状態から媒体カセット１０を引き抜く例について説明した。しかし、媒体トレイ５が縮小した状態であっても、第１係合突起（外側）１５には手前側斜面１５ｃが形成されているので、第２係合片（外／手前側）６ｂが第１係合突起（外側）１５を乗り超えることができ、結果として媒体カセット１０を引き抜くことができる。
【００９３】
<<使用モード４>>
このモードは、「測色装置４：未装着／媒体カセット１０：未装着／媒体トレイ５：装着且つ縮小」の状態（上記使用モード３の後）から、媒体カセット１０を装着するモードである。
【００９４】
媒体トレイ５が装着された状態において媒体カセット１０を装着しようとすると、媒体トレイ５と媒体カセット１０との間の係合構造によって、引っ掛かりが生じ、媒体カセット１０を完全な装着位置まで差し込めない虞がある。
【００９５】
具体的には、媒体トレイ５が装着された状態において媒体カセット１０を装着しようとすると（図１６（Ａ）、（Ｂ）の実線矢印）、第１係合突起（外側）１５に第２係合片（外／手前側）６ｂが引っ掛かり、また第２係合突起（内側）１４に第４係合片（内／手前側）７ｂが引っ掛かり、媒体カセット１０を装着位置まで差し込めない虞がある。
【００９６】
しかしながら、第１係合突起（外側）１５には奥側斜面１５ａが形成され、且つ第２係合突起（内側）１４には奥側斜面１４ａが形成されているので、図１６から図１７への変化に示す様に、第２係合片（外／手前側）６ｂは第１係合突起（外側）１５を乗り越えることができ、また第４係合片（内／手前側）７ｂが第２係合突起（内側）１４を乗り越えることができる。従って、媒体カセット１０を装着位置まで完全に差し込むことができる。
【００９７】
<<使用モード５>>
このモードは、「測色装置４：装着／媒体カセット１０：装着且つ伸長／媒体トレイ５：装着且つ縮小」の状態から、媒体トレイ５の第１引き出し部７を引き出すモードである。
【００９８】
測色装置４が装着されている状態では、媒体カセット１０のカセット引き出し部１２は引き抜き方向Ｙｂにスライドされた状態、即ちそれ以上は引き抜き方向Ｙｂにスライドできない状態にある。このため、縮小状態にある媒体トレイ５を伸長させようとする場合には、媒体カセット１０のカセット引き出し部１２をスライドさせる（上記使用モード１）のではなく、媒体トレイ５の第１引き出し部７に直接手を掛けて手前側に引き出す必要がある。
【００９９】
ここで、測色装置４が装着されている状態では、上述の通り装置本体１ａに形成された突起１ｄ（図３）に係止片６ｃ（図７）が係止することによる、トレイベース部６の引き抜き方向Ｙｂへの拘束が行われていない。この為、第１引き出し部７を引き出した際、仮に第２係合突起（内側）１４に対して第３係合片（内／奥側）７ａが乗り上げるとともに、第１係合突起（外側）１５に対して第１係合片（外／奥側）６ａが乗り上げてしまうと、トレイベース部６ごと、即ち媒体トレイ５の全体が引き抜かれてしまうことになる。尚、第１引き出し部７はトレイベース部６の下側に位置するので、第１引き出し部７の自由端側が上方に持ち上がると、これと同期してトレイベース部６の自由端側も上方に持ち上がることになる。
【０１００】
しかしながら、図１７（Ａ）、（Ｂ）から図１８（Ａ）、（Ｂ）への変化に示すように、第１係合突起（外側）１５と第１係合片（外／奥側）６ａとの係合が解除される前に、第２係合突起（内側）１４と第３係合片（内／奥側）７ａとの係合が解除される様、第１係合突起（外側）１５と第１係合片（外／奥側）６ａとの高さ関係、及び第２係合突起（内側）１４と第３係合片（内／奥側）７ａとの高さ関係が、設定されている。しかも、第１係合突起（外側）１５において第１係合片（外／奥側）６ａと対向する側は、奥側垂直面１５ｂとなっており、即ち奥側斜面１４ａより急角度で形成されている為、第１係合片（外／奥側）６ａが引っ掛かり易い形状となっている。
【０１０１】
これにより、図１８（Ａ）、（Ｂ）に示すように媒体トレイ５の第１引き出し部７のみを引き出すことができ、測色装置４を装着した状態（つまり、トレイベース部６がトレイ係合部１３のみによって引き抜き方向Ｙｂに拘束されている状態）であっても、媒体トレイ５の脱落を招かずに、当該媒体トレイ５を記録用紙Ｐのサイズに応じた適切な長さに伸長することができる。加えて、第１引き出し部７の第３係合片７ａが、第２係合突起１４の奥側斜面１４ａを乗り越えることができるので、第１引き出し部７の引き出しが媒体カセット１０の引き抜きを招くこともない。
【０１０２】
尚、第１係合突起（外側）１５において装置奥側Ｙａには、上記使用モード５を確実に成立させる為に、上述の通り奥側垂直面１５ｂが形成されているが、仮に第１係合突起（外側）１５において装置奥側Ｙａに奥側垂直面１５ｂのみが形成されていると、既に説明した使用モード４が成立しない。即ち、図１６に示す様に媒体トレイ５が装着された状態で媒体カセット１０を装着しようとすると、第１係合突起（外側）１５に、第２係合片（外／手前側）６ｂが引っ掛かってしまうことになる。
【０１０３】
これを防止するために、第１係合突起（外側）１５において装置奥側Ｙａは２つの面に分割され、即ち内側に奥側斜面１５ａが形成され、外側に奥側垂直面１５ｂが形成されている。尚、図６の符号Ｘ１は第１係合突起（外側）１５における奥側垂直面１５ｂの形成領域を示し、符号Ｘ２は第１係合突起（外側）１５における奥側斜面１５ａの形成領域を示している。また、符号Ｘ３は第２係合突起（内側）１４における奥側斜面１４ａの形成領域を示している。
【０１０４】
そして媒体トレイ５の側は、上記使用モード５のときに第１係合突起（外側）１５の奥側垂直面１５ｂが機能する様に、奥側垂直面１５ｂに対応する領域Ｘ１にのみ第１係合片（外／奥側）６ａが形成されている（図８の領域Ｘ４）。また、上記使用モード４のときに第１係合突起（外側）１５の奥側斜面１５ａが機能する様に、奥側斜面１５ａと係合可能な範囲Ｘ２をカバーする様に第２係合片（外／手前側）６ｂが形成されている（図８の領域Ｘ５）。
【０１０５】
ところで、オプション装置としての測色装置４の未装着状態では、媒体トレイ５のトレイベース部６はその前端が装置本体１ａの前面１ｂとほぼ面一にあり、即ち媒体トレイ５は全体がほぼ装置本体１ａの内側に収容された状態となっている。従ってこの状態では、媒体トレイ５はその着脱方向（Ｙａ、Ｙｂ方向）と直交する方向（用紙幅方向：図１０〜図１８の紙面表裏方向）の位置がほぼ厳格に規定され、ガタツキの無い良好な装着状態となっている。
【０１０６】
しかしながら、測色装置４の装着状態では、媒体トレイ５のトレイベース部６はその前端が装置本体１ａの前面１ｂから所定量突き出た状態となり、このため用紙幅方向にガタツキが生じ易い装着状態となる。しかしながら、媒体トレイ５のトレイベース部６は、第１係合突起（外側）１５に対して横壁部６ｄ（図８）を有しており、この横壁部６ｄが第１係合突起（外側）１５の側壁１５ｄ（図５、図６参照）と係合する為、媒体トレイ５のトレイベース部６はその前端が装置本体１ａの前面１ｂから所定量突き出た状態となっても、用紙幅方向のガタツキが抑えられる様になっている。
【０１０７】
以下、上記実施形態の構成を纏めると、下記（１）〜（６）の通りとなる。  
（１）媒体カセット１０が、カセットベース部１１と、カセットベース部１１に対して装置手前側Ｙｂに位置し、用紙サイズに合わせて媒体カセット１０の着脱方向にスライド可能なカセット引き出し部１２とを備え、カセットベース部１１とカセット引き出し部１２とにより用紙を収容する空間が形成される。また媒体トレイ５は、伸長状態において基端側を構成するトレイベース部６、及び縮小状態においてトレイベース部６の下側に収容され、伸長状態においてトレイベース部６より自由端側に位置する、少なくとも１つの引き出し可能なトレイ引き出し部である第１引き出し部７を備え、装置本体１ａに対する着脱方向と同一方向に伸縮可能に構成されている。
【０１０８】
（２）トレイベース部６は、オプション装置としての測色装置４が未装着のとき、装置本体１ａに形成されたトレイ係合部としての突起１ｄと係合することで引き抜き方向Ｙｂに拘束され、測色装置４が装着されたとき、トレイベース部６の装置本体１ａに対する装着位置が変位して突起１ｄとの係合が解除される。
【０１０９】
（３）カセット引き出し部１２は、その上部にトレイベース部６と係合する第１係合突起１５、および第１引き出し部７と係合する第２係合突起１４を、前記着脱方向と交差する方向に位置をずらして備えている。媒体カセット１０及び媒体トレイ５がともに縮小状態にあり且つ装置本体１ａに装着された初期装着状態において、第１係合突１５起に対し、前記着脱方向における装置奥側Ｙａにトレイベース部６の下部に設けられた第１係合片６ａが位置するとともに、装置手前側Ｙｂにトレイベース部６の下部に設けられた第２係合片６ｂが位置している。
【０１１０】
（４）第１係合突起１５における装置奥側Ｙａの面の、前記着脱方向と交差する方向における形成領域に対し、第１係合片６ａは、その一部領域（奥側垂直面１５ｂ）と係合可能に形成され、第２係合片６ｂは、少なくとも第１係合片６ａと係合する領域外（奥側斜面１５ａ）と係合可能に形成されている。  
初期装着状態において、第２係合突起１４に対し、装置奥側Ｙａに第１引き出し部７の下部に設けられた第３係合片７ａが位置するとともに、装置手前側Ｙｂに第１引き出し部の下部に設けられた第４係合片７ｂが位置している。
【０１１１】
（５）第１係合突起１５は、装置手前側Ｙｂの面が突起上部に向かって装置奥側Ｙａに向かう傾斜面（手前側斜面１５ｃ）で形成されるとともに、装置奥側Ｙａの面が、第２係合片６ｂと係合可能な領域が突起上部に向かって装置手前側Ｙｂに向かう傾斜面（奥側傾斜面１５ａ）で形成されている。また第２係合突起１４は、装置奥側Ｙａの面が突起上部に向かって装置手前側Ｙｂに向かう傾斜面（奥側傾斜面１４ａ）で形成されるとともに、装置手前側Ｙｂの面が突起上部に向かって装置奥側に向かう傾斜面（手前側斜面１４ｂ）で形成されている。
【０１１２】
（６）測色装置４が装着され且つ媒体カセット１０及び媒体トレイ５が前記初期装着状態にある状態から、第１引き出し部７を引き出した際、第１係合突起１５と第１係合片６ａとの係合状態が解除される前に、第２係合突起１４を第３係合片７ａが乗り越える様に構成されている。  
以上の構成（１）〜（６）を備えることにより、伸縮可能な媒体カセット１０と伸縮可能な媒体トレイ５とを係合させながらも、場合によりそれぞれの伸縮操作や着脱操作を相手側から拘束されずに行うことができ、具体的には上記使用モード１〜５を実現できる。
【０１１３】
本実施形態は上記（１）〜（６）の構成を基本とし、更に以下の構成を備えている。尚、以下の構成は本発明に必須の構成ではなく、上記（１）〜（６）の構成に対し任意的に付加することができる構成である。  
（７）トレイベース部６は、測色装置４が未装着のとき、全体が装置本体１ａの内側に入り込む装着状態となることで、前記着脱方向と交差する方向の位置が規制され、測色装置４が装着されたとき、トレイベース部６の装置本体１ａに対する装着位置が媒体トレイ５の引き抜き方向に変位して、トレイベース部６が装置本体１ａから所定量突出する構成を備えている。そしてトレイベース部６には、第１係合突起１５に対し、前記着脱方向と交差する方向に位置する横壁部６ｄが形成されている。本構成を付加することで、測色装置４を装着した際に媒体トレイ５を着脱方向と交差する方向にがたつくことなく保持することができる。
【０１１４】
（８）第１係合突起１５、第１係合片６ａ、第２係合片６ｂ、のこれらの組、および第２係合突起１４、第３係合片７ａ、第４係合片７ｂ、のこれらの組を、前記着脱方向と交差する方向に複数備えている。本構成を付加することで、上記各使用モードにおいて媒体トレイ５の姿勢を安定させることができる
【０１１５】
（９）第１係合突起１５は、装置奥側Ｙａの面において、第１係合片６ａと係合可能な領域が、第２係合突起１４における装置奥側Ｙａの傾斜面より急角度で形成されている（第１係合突起１５の奥側垂直面）。本構成を付加することで、上記<<使用モード５>>をより確実に実現させることができる。
【０１１６】
（１０）第２係合突起１４に形成された装置手前側斜面１４ｂが、第１係合突起１５に形成された装置手前側斜面１５ｃよりも急角度に形成されている。本構成を付加することで、上記<<使用モード１>>の成立を、より確実なものとすることができる。
【０１１７】
（１１）上記（１）〜（６）を備えた構成から、（２）に記載の構成（トレイベース部６が装置本体１ａに形成された突起１ｄと係合する構成）を除外した構成も採用可能である。この場合、上記<<使用モード１>>を成立させる為に、初期装着状態からカセット引き出し部１２を引き出した際、第２係合突起１４と第４係合片７ｂとの係合状態が解除される前に、第１係合突起１５を第２係合片６ｂが乗り越える様に構成する。尚この様に構成した場合、測色装置４はあっても無くても構わないし、媒体トレイ５の装着位置は固定であっても構わない。
【０１１８】
（１２）上記（１）〜（６）を備えた構成から、（４）、（５）に記載の構成、具体的には第１係合突起１５の装置奥側の面を構成する奥側斜面１５ａを除外した構成も採用可能である。即ち、奥側斜面１５ａは、図１６に示す<<使用モード４>>において機能するが、当該奥側斜面１５ａが形成されていない場合であっても、媒体カセット１０を装着する際、第４係合片７ｂの第２係合突起１４の乗り越え動作に伴って、第１引き出し部７がトレイベース部６を押し上げて、その結果第２係合片６ｂが第１係合突起１５を乗り越える様に構成されていれば、<<使用モード４>>が実現可能となる。
【０１１９】
■■■■■■５．第２実施形態■■■■■■■■■■■■■■■■■■■■■■
以下、図１９乃至図２４を参照しながら本発明の第２実施形態について説明する。ここで、図１９〜図２４は第２実施形態に係る媒体トレイおよび媒体カセットの断面図、図２０は使用モード１の動作状態を示す図、図２１は使用モード２の動作状態を示す図、図２２は使用モード３の動作状態を示す図、図２３は使用モード４の動作状態を示す図、図２４は使用モード５の動作状態を示す図である。
【０１２０】
上記第１実施形態では媒体カセット１０の側に突起（第１係合突起（外側）１５、第２係合突起（内側）１４）を形成し、媒体トレイ５の側に係止片（第１係合片（外／奥側）６ａ、第２係合片（外／手前側）６ｂ、第３係合片（内／奥側）７ａ、第４係合片（内／手前側）７ｂ）を形成したが、これらを逆に形成しても構わない。これを上記実施形態に基づいて実施すると、図１０（Ａ）、（Ｂ）に示す突起形状及び係止片形状を、上下左右逆にした形態となる。
【０１２１】
具体的には、図１９（Ａ）、（Ｂ）において符号１２’はカセット引き出し部を、符号６’はトレイベース部を、符号７’は第１引き出し部を、それぞれ示している（それぞれ上記第１実施形態において符号１２、６、７で示した構成要素に対応）。また、符号３６はトレイベース部６’に形成された第１係合突起を、符号３５は第１引き出し部７’に形成された第２係合突起を、それぞれ示している。更に、符号１２ｂ〜１２ｄはカセット引き出し部１２’に形成された係合片であり、符号１２ｂは第１係合突起を、符号１２ｃは第２係合突起を、符号１２ｄは第３係合突起を、符号１２ｅは第４係合突起を、それぞれ示している。
【０１２２】
図２０（Ａ）、（Ｂ）は<<使用モード１>>を示しており、初期装着状態からカセット引き出し部１２’を引き出すと（実線矢印）、これに同期して第１引き出し部７’が引き出される（破線矢印）。第１係合片１２ｂは、第１係合突起３６の奥側斜面３５ａにより第１係合突起３６を乗り越えることができる。
【０１２３】
図２１（Ａ）、（Ｂ）は<<使用モード２>>を示しており、初期装着状態から第１引き出し部７’を引き出すと（実線矢印）、第２係合突起３５の手前側斜面３５ｂが第４係合片１２ｅを乗り越えることができる為、媒体カセットが第１引き出し部７’に連れられて引き抜かれることがない。
【０１２４】
図２２（Ｂ−１）、（Ｂ−２）は<<使用モード３>>を示しており、媒体カセットを装置本体から引き抜こうとすると（実線矢印）、第３係合片１２ｄが第２係合突起３５の奥側斜面３５ａを乗り越えることができる為、媒体カセットは第１引き出し部７’に引っ掛かることなく引き抜くことができる。
【０１２５】
図２３（Ａ）、（Ｂ）は<<使用モード４>>を示しており、媒体カセットを取り外した状態から装着する際（実線矢印）、第１係合片１２ｂが第１係合突起３６の手前側斜面３５ｃを乗り越えることができ、また第３係合片１２ｄが第２係合突起３５の手前側斜面３５ｂを乗り越えることができるので、その結果媒体カセットは引っ掛かり無く装着できる。
【０１２６】
図２４（Ａ）、（Ｂ）は<<使用モード５>>を示しており、測色装置４が装着された状態の、媒体トレイ及び媒体カセットの初期装着状態において、第１引き出し部７’を引き出すと、第１係合突起３６と第２係合片１２ｃとの係合状態が解除される前に、第２係合突起３５と第４係合片１２ｅとの係合状態が解除される様に、各係合突起及び係合片の高さ関係が設定されている。これにより、トレイベース部６’が引き抜かれることなく、第１引き出し部７’を引き抜くことができる。
【０１２７】
以下、上記第２実施形態に特有の構成を纏めると、下記（１）〜（６）の通りとなる。  
（１）トレイベース部６’は、その下部にカセット引き出し部１２’と係合する第１係合突起３６を備え、第１引き出し部７’は、その下部にカセット引き出し部１２’と係合する第２係合突起３５を、第１係合突起３６に対し前記着脱方向と交差する方向に位置をずらして備えている。
【０１２８】
（２）媒体カセット及び媒体トレイがともに縮小状態にあり且つ装置本体１ａに装着された初期装着状態において、第１係合突起３６に対し、前記着脱方向における装置奥側Ｙａにカセット引き出し部１２’の上部に設けられた第１係合片１２ｂが位置するとともに、前記着脱方向における装置手前側Ｙｂにカセット引き出し部１２’の上部に設けられた第２係合片１２ｃが位置している。
【０１２９】
（３）第１係合突起３６における装置手前側Ｙｂの面の、前記着脱方向と交差する方向における形成領域に対し、第２係合片１２ｃは、その一部領域（手前側垂直面３６ｂ）と係合可能に形成され、第１係合片１２ｂは、少なくとも第２係合片１２ｃと係合する領域外（手前側斜面３６ｃ）と係合可能に形成されている。
【０１３０】
（４）前記初期装着状態において、第２係合突起３５に対し、前記着脱方向における装置奥側Ｙａにカセット引き出し部１２’の上部に設けられた第３係合片１２ｄが位置するとともに、前記着脱方向における装置手前側Ｙｂにカセット引き出し部１２’の上部に設けられた第４係合片１２ｅが位置している。
【０１３１】
（５）第１係合突起３６は、装置手前側Ｙｂの面が、第１係合片１２ｂと係合可能な領域が突起上部（図面では下方）に向かって装置奥側Ｙａに向かう手前側傾斜面３６ｃで形成されるとともに、装置奥側Ｙａの面が突起上部に向かって装置手前側Ｙｂに向かう奥側斜面３６ａで形成されている。
【０１３２】
（６）第２係合突起３５は、装置奥側Ｙａの面が突起上部に向かって装置手前側Ｙｂに向かう奥側斜面３５ａで形成されるとともに、装置手前側Ｙｂの面が突起上部に向かって装置奥側Ｙａに向かう手前側斜面３５ｂで形成されている。
【０１３３】
（７）そして測色装置４が装着され且つ媒体カセット及び媒体トレイが前記初期装着状態にある状態から、トレイ引き出し部７’を引き出した際、第１係合突起３６と第２係合片１２ｃとの係合状態が解除される前に、第４係合片１２ｅを第２係合突起３５が乗り越える様に構成されている。  
以上の構成（１）〜（７）を備えることにより、伸縮可能な媒体カセットと伸縮可能な媒体トレイとを係合させながらも、上述した第１実施形態と同様に、場合によりそれぞれの伸縮操作や着脱操作を相手側から拘束されずに行うことができる。
【０１３４】
■■■■■■６．その他の実施形態■■■■■■■■■■■■■■■■■■■■■■
以上説明した各実施形態は一例であり、また上記各実施形態に対して更に種々の変形が可能である。例えば、上記各実施形態ではトレイ係合手段１３を媒体カセット１０の左右に設けたが、いずれか一方側のみに設けた場合であっても、上記第１〜第５モードを成立させることができる。また、上記各実施形態では第１係合突起（外側）１５と第２係合突起（内側）１４とを連接する様に形成しているが、所定距離離して形成しても構わない。
【０１３５】
また、以上説明した実施形態では、インクジェットプリンター１としてシリアル型の液体噴射装置、即ちインクジェット記録ヘッド３０が用紙幅方向に移動しながら記録を行う液体噴射装置を例にして説明したが、これに限定されないことは言うまでもなく、例えば記録ヘッドが固定的に設けられた、所謂ラインヘッド型の液体噴射装置にも適用可能である。
【０１３６】
また、液体噴射装置とは、インクジェット式記録ヘッドが用いられ、該記録ヘッドからインクを吐出して被記録材（被搬送材）に記録を行うプリンター、複写機およびファクシミリ等の記録装置に限らず、インクに代えてその用途に対応する液体を前記記録ヘッドに相当する液体噴射ヘッドから被記録媒材に相当する被噴射材（被搬送材）に噴射して、前記液体を前記被噴射材に付着させる装置を含む意味で用いる。
【０１３７】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【０１３８】
１  インクジェットプリンター、１ａ  装置本体、１ｂ  装置前面、１ｃ  トレイ支持板、１ｄ  突起（トレイ係合部）、２  ロール収容部、３  媒体給送装置、４  測色装置、
５  媒体トレイ、６  トレイベース部、６ａ  第１係合片（外／奥側）、６ｂ  第２係合片（外／手前側）、７  第１引き出し部、７ａ  第３係合片（内／奥側）、７ｂ  第４係合片（内／手前）、８  第２引き出し部、
１０  媒体カセット、１０ａ  用紙収容部、１１  カセットベース部、１２  カセット引き出し部、１３  トレイ係合手段、１４  第２係合突起、１４ａ  奥側斜面、１４ｂ  手前側斜面、１５  第１係合突起、１５ａ  奥側斜面、１５ｂ  奥側垂直面、１５ｃ  手前側斜面、１６  突起
【図１】
0005594463.tif 000002
【図２】
0005594463.tif 000003
【図３】
0005594463.tif 000004
【図４】
0005594463.tif 000005
【図５】
0005594463.tif 000006
【図６】
0005594463.tif 000007
【図７】
0005594463.tif 000008
【図８】
0005594463.tif 000009
【図９】
0005594463.tif 000010
【図１０】
0005594463.tif 000011
【図１１】
0005594463.tif 000012
【図１２】
0005594463.tif 000013
【図１３】
0005594463.tif 000014
【図１４】
0005594463.tif 000015
【図１５】
0005594463.tif 000016
【図１６】
0005594463.tif 000017
【図１７】
0005594463.tif 000018
【図１８】
0005594463.tif 000019
【図１９】
0005594463.tif 000020
【図２０】
0005594463.tif 000021
【図２１】
0005594463.tif 000022
【図２２】
0005594463.tif 000023
【図２３】
0005594463.tif 000024
【図２４】
0005594463.tif 000025